(57)【要約】 【課題】  隣接する床パネル同士を強固に安定して連結することができ、しかも施工が簡単で断熱性にも優れた二重床構造を提供する。【解決手段】  この二重床構造は、床下地板（６０）と断熱材（６１Ａ）〜（６１Ｅ）と連結板材（６２）とを一体に組み付けてなる複数の床パネル（５Ａ）〜（５Ｅ）を用いて、これら床パネル（５Ａ）〜（５Ｅ）を、支持脚（２）〜（４）によって所定の高さ位置に支持しながら、隣接する床パネル（５Ａ）〜（５Ｅ）同士を連結板材（６２）を介して強固に連結して並設してなる。【選択図】  図１
2007009541.tif 000002
【特許請求の範囲】
【請求項１】
複数の床パネル（５Ａ）〜（５Ｅ）を複数の支持脚（２）〜（４）によって所定の高さ位置に支持した状態で並設してなる二重床構造であって、前記床パネル（５Ａ）〜（５Ｅ）は、床下地板（６０）と、その床下地板（６０）の裏面の略全面を覆う断熱材（６１Ａ）〜（６１Ｅ）と、前記床下地板（６０）に固定された状態で側方へ張り出して、隣接する床パネル（５Ａ）〜（５Ｅ）に連結固定する連結板材（６２）とを一体に組み付けてなることを特徴とする二重床構造。
【請求項２】
前記床パネル（５Ａ）〜（５Ｅ）における床下地板（６０）と断熱材（６１Ａ）〜（６１Ｅ）との間から張り出させた連結板材（６２）の張り出し部を、隣接する床パネル（５Ａ）〜（５Ｅ）の床下地板（６０）と断熱材（６１Ａ）〜（６１Ｅ）との間に嵌め込んで、その連結板材（６２）を互いの床パネル（５Ａ）〜（５Ｅ）の床下地板（６０）にビス等の固定具（６４）（８１）によって固定することで、これら互いに隣接する床パネル（５Ａ）〜（５Ｅ）同士を連結した請求項１記載の二重床構造。
【請求項３】
互いに隣接する床パネル（５Ａ）〜（５Ｅ）の断熱材（６１Ａ）〜（６１Ｅ）間に、前記支持脚（２）〜（４）におけるパネル受け台（２２）（３２）（５２）及びそのパネル受け台（２２）（３２）（５２）を支持する縦方向の棒状材（２１）（３１）（５１）の形状に応じた収容部（９０）を形成して、互いに隣接する床パネル（５Ａ）〜（５Ｅ）の断熱材（６１Ａ）〜（６１Ｅ）の端面同士を当接させながら、前記収容部（９０）に前記パネル受け台（２２）（３２）（５２）及び棒状材（２１）（３１）（５１）を収容した請求項１又は２記載の二重床構造。
【請求項４】
複数の支持脚（２）〜（４）によって所定の高さ位置に支持された状態で並設されて、二重床を構成する床パネルであって、床下地板（６０）と、その床下地板（６０）の裏面の略全面を覆う断熱材（６１Ａ）〜（６１Ｅ）と、前記床下地板（６０）に固定された状態で側方へ張り出して、隣接する床パネル（５Ａ）〜（５Ｅ）に連結固定する連結板材（６２）とを一体に組み付けてなることを特徴とする床パネル。
【請求項５】
前記断熱材（６１Ａ）〜（６１Ｅ）の端部上面側に、前記連結板材（６２）の一部を収容する収容用凹所（７０）を形成して、その収容用凹所（７０）に収容した連結板材（６２）の一部を前記床下地板（６０）にビス等の固定具（６４）によって固定した請求項４記載の床パネル。
【請求項６】
前記断熱材（６１Ａ）〜（６１Ｅ）の端部上面側に、隣接する床パネル（５Ａ）〜（５Ｅ）の連結板材（６２）を嵌め込む嵌合用凹所（７１）を形成した請求項４又は５記載の床パネル。
【請求項７】
前記断熱材（６１Ａ）〜（６１Ｅ）の端部上面側に、前記支持脚（２）〜（４）のパネル受け台（２２）（３２）（５２）を差し込む差し込み用凹所（６６）（６７）（７２）（７３）を形成するとともに、前記パネル受け台（２２）（３２）（５２）を支持する縦方向の棒状材（２１）（３１）（５１）を挿通させる挿通用切欠（６８）（７４）（７５）を、前記差し込み用凹所（６６）（６７）（７２）（７３）に連続するように前記断熱材（６１Ａ）〜（６１Ｅ）の端部に形成した請求項４乃至６のいずれかに記載の床パネル。
【発明の詳細な説明】
【技術分野】
【０００１】
この発明は、主として戸建て住宅や集合住宅に適用される二重床構造及びこれに用いる床パネルに関する。
【背景技術】
【０００２】
戸建て住宅の一階床は、基本的に、束や大引、根太によって床下地板を支持し、その床下地板上にフローリング等の床仕上げ材を敷設することで構成されている。住宅メーカー等においては、現場での作業の簡略化を図るために、根太と床下地板と断熱材を予め工場で一体に組み付けてなる複数の床パネルを用いて、これら床パネルを大引上に並設して、その床下地板上に床仕上げ材を敷設することによって一階床を構築していることが多い。
【０００３】
ところが、このような床パネルを用いた場合、根太部分に断熱材が存在せずに断熱材の連続性が絶たれ、根太が熱橋となって断熱性の低下を招き易いといった問題があった。また、根太があるために、床パネルに対する現場での切欠きや穴あけ等の加工が制限され、パネル重量も重くなっていた。さらに、床パネルと大引の固定は、根太の上から大引に対してビスや釘を打ち込んで固定するので、そのためには根太に下穴をあけておく必要があった。このようなことから、施工性が悪いといった問題があった。さらにまた、隣接する床パネル同士は、大引を介して連結されていはいるものの、直接的には連結されておらず、床パネル間において不陸が生じ易く、強度的にも問題があった。
【０００４】
そこで、近年では、例えば特許文献１〜４にも開示されているように、床下地板の裏面の略全面に断熱材を張り付けた複数の床パネルを用いて、これら床パネルを土間コンクリート上に設置した複数の支持脚によって所定の高さ位置に支持
した二重床が提案されている。このような二重床の場合、大引や根太を廃止して、加工性や施工性を高めることができ、断熱性の向上も図ることができる。
【特許文献１】特開平１０−２０９４号公報
【特許文献２】特開平１１−１０７４２５号公報
【特許文献３】特開平１１−１００９７６号公報
【特許文献４】特開平１１−１０７４９５号公報
【発明の開示】
【発明が解決しようとする課題】
【０００５】
しかしながら、上記のような二重床においては、隣接する床パネル同士は、複数の支持脚を介して連結されてはいるものの、これら支持脚は要所要所に間隔をあけて配置されていて、床パネル同士を強固に連結させることができず、依然として床パネル間において不陸が生じ易いといった不具合がある。また、大引や根太等を廃止したため、床パネルが撓み易くなって、荷重がかかると床パネルの端部同士が擦れ合って音鳴りが発生するといった不具合が生じることもある。
【０００６】
一方、特許文献１には、各床パネルの断熱材部分に突部や溝部を一体に形成して、床パネルを隣接して配置する際に、これら突部と溝部を互いに嵌合させることで、床パネル同士を連結する構造が開示されている。しかし、発泡材等からなる断熱材に形成した突部や溝部は強度的に弱く、繰り返し荷重がかかると比較的容易に破損してしまい、安定した連結強度を長期に亘って維持することができない。しかも、突部と溝部を単に嵌合しただけの場合、この嵌合部分が荷重がかかったときに擦れ合って音鳴りの原因となることがある。
【０００７】
そこで、この発明は、上記の不具合を解消して、隣接する床パネル同士を強固に安定して連結することができ、しかも施工が簡単で断熱性にも優れた二重床構造及びこれに用いる床パネルの提供を目的とする。  
【課題を解決するための手段】
【０００８】
上記の課題を解決するため、この発明の二重床構造は、複数の床パネル５Ａ〜５Ｅを複数の支持脚２〜４によって所定の高さ位置に支持した状態で並設してなるものであって、前記床パネル５Ａ〜５Ｅは、床下地板６０と、その床下地板６０の裏面の略全面を覆う断熱材６１Ａ〜６１Ｅと、前記床下地板６０に固定された状態で側方へ張り出して、隣接する床パネル５Ａ〜５Ｅに連結固定する連結板材６２とを一体に組み付けてなることを特徴とする。
【０００９】
そして、前記床パネル５Ａ〜５Ｅにおける床下地板６０と断熱材６１Ａ〜６１Ｅとの間から張り出させた連結板材６２の張り出し部を、隣接する床パネル５Ａ〜５Ｅの床下地板６０と断熱材６１Ａ〜６１Ｅとの間に嵌め込んで、その連結板材６２を互いの床パネル５Ａ〜５Ｅの床下地板６０にビス等の固定具６４、８１によって固定することで、これら互いに隣接する床パネル５Ａ〜５Ｅ同士を連結している。
【００１０】
また、互いに隣接する床パネル５Ａ〜５Ｅの断熱材６１Ａ〜６１Ｅ間に、前記支持脚２〜４におけるパネル受け台２２、３２、５２及びそのパネル受け台２２、３２、５２を支持する縦方向の棒状材２１、３１、５１の形状に応じた収容部９０を形成して、互いに隣接する床パネル５Ａ〜５Ｅの断熱材６１Ａ〜６１Ｅの端面同士を当接させながら、前記収容部９０に前記パネル受け台２２、３２、５２及び棒状材２１、３１、５１を収容している。
【００１１】
この発明の床パネルは、複数の支持脚２〜４によって所定の高さ位置に支持された状態で並設されて、二重床を構成するものであって、床下地板６０と、その床下地板６０の裏面の略全面を覆う断熱材６１Ａ〜６１Ｅと、前記床下地板６０に固定された状態で側方へ張り出して、隣接する床パネル５Ａ〜５Ｅに連結固定する連結板材６２とを一体に組み付けてなることを特徴とする。
【００１２】
そして、前記断熱材６１Ａ〜６１Ｅの端部上面側に、前記連結板材６２の一部を収容する収容用凹所７０を形成して、その収容用凹所７０に収容した連結板材６２の一部を前記床下地板６０にビス等の固定具６４によって固定している。
【００１３】
また、前記断熱材６１Ａ〜６１Ｅの端部上面側に、隣接する床パネル５Ａ〜５Ｅの連結板材６２を嵌め込む嵌合用凹所７１を形成している。
【００１４】
さらに、前記断熱材６１Ａ〜６１Ｅの端部上面側に、前記支持脚２〜４のパネル受け台２２、３２、５２を差し込む差し込み用凹所６６、６７、７２、７３を形成するとともに、前記パネル受け台２２、３２、５２を支持する縦方向の棒状材２１、３１、５１を挿通させる挿通用切欠６８、７４、７５を、前記差し込み用凹所６６、６７、７２、７３に連続するように前記断熱材６１Ａ〜６１Ｅの端部に形成している。
【発明の効果】
【００１５】
この発明によると、床下地板、断熱材及び連結板材を一体に組み付けてなる床パネルを用いて、これら床パネルを支持脚によって支持した状態で並設することで、床パネル同士がその強度的に強い床下地板に固定された連結板材を介して互いに連結されることになる。このため、大引や根太等を廃止した構造であるにもかかわらず、各床パネルの床下地板の撓みを抑えて、隣接する床パネル同士を強固に安定して連結することができ、床パネル間において不陸が生じ難くなり、隣接する床下地板の端部同士が擦れ合うことによって発生する音鳴りの発生も抑えることができる。しかも、床パネルに予め連結板材を一体に組み付けておくことで、現場での床パネル同士の連結作業を簡略化でき、施工性の向上を図ることができる。
【００１６】
また、床パネルにおける床下地板と断熱材との間から張り出させた連結板材を、隣接する床パネルにおける床下地板と断熱材との間に嵌め込んで、その連結板材をビス等の固定具によって床下地板に固定することで、連結部分を断熱材で覆って断熱性を良好に維持しながら、隣接する床パネル同士を強固に連結することができる。
【００１７】
さらに、隣接する床パネルの断熱材の端面同士を当接させながら、これら断熱材間に形成した差し込み用凹所及び挿通用切欠によって構成される収容部に、支持脚のパネル受け台及び棒状材を収容しているので、床パネルの支持部分を断熱材で覆って、断熱材の端面間に無駄な隙間が生じないようにすることができ、優れた断熱性を得ることができる。
【発明を実施するための最良の形態】
【００１８】
以下、この発明の実施形態を図面に基づいて詳細に説明する。この発明の一実施形態に係る二重床構造は、図１及び図２に示すように、戸建て住宅の一階床として適用されている。この二重床構造は、住宅一階の床施工空間１に設置した例えば３種類の支持脚２〜４によって、複数の床パネル５Ａ〜５Ｅを所定の高さ位置に支持した状態で並設させてなり、これら床パネル５Ａ〜５Ｅ上には、床仕上げ材６・・を敷き詰めるようになっている。
【００１９】
床施工空間１は、土間コンクリート１０を外周基礎の立ち上がり部１１によって囲むことによって構成されており、その床施工空間１の要所要所に外周基礎の立ち上がり部１１よりも高さの低い間仕切り基礎の立ち上がり部１２が設けられている。なお、図１において、１３は外装材、１４は内装材である。
【００２０】
支持脚２〜４としては、土間コンクリート１０に設ける高さ調整可能な一般部用支持脚２と、外周基礎立ち上がり部１１に設ける高さ調整可能な第１の立ち上がり部用支持脚３と、間仕切り基礎立ち上がり部１２に設ける高さ調整可能な第２の立ち上がり部用支持脚４とが用意されている。
【００２１】
一般部用支持脚２は、図３及び図４に示すように、土間コンクリート１０上に固定される例えば金属板からなる基台２０と、この基台２０に立設した棒状体２１と、この棒状体２１によって高さ調整可能に支持された例えば金属板からなるパネル受け台２２とから構成されている。
【００２２】
棒状体２１は、ターンバックル部２３と、このターンバックル部２３の上端部に螺合された上側ボルト部２４と、ターンバックル部２３の下端部に螺合された下側ボルト部２５とを備え、パネル受け台２２の略中央部に上側ボルト部２４の上端部が空回り可能に取り付けられ、基台２０の略中央部に下側ボルト部２５の下端部が固定されている。
【００２３】
上側ボルト部２４と下側ボルト部２５には、互いに逆向きの螺子が形成されている。また、これら上側ボルト部２４及び下側ボルト部２５には、ターンバックル部２３との螺合部分におけるぐらつきや音なりを防止するナット２６、２６が螺合されている。さらに、上側ボルト部２４の上端には、六角棒スパナ等を係合する係合孔２７が形成され、この係合孔２７がパネル受け台２２の中央部において露出している。
【００２４】
第１の立ち上がり部用支持脚３は、図５及び図６に示すように、外周基礎立ち上がり部１１上に固定される基台３０と、この基台３０に立設した棒状体３１と、この棒状体３１によって高さ調整可能に支持されたパネル受け台３２とから構成されている。
【００２５】
基台３０は、例えば金属板をＬ形に折曲することによって形成されており、外周基礎立ち上がり部１１の天端面１１ａに載置する方形状の載置片３３と、外周基礎立ち上がり部１１の側面１１ｂに当接する方形状の当接片３４とを備えている。
【００２６】
パネル受け台３２は、例えば方形状の金属板からなり、その略中央部には螺子孔３８が形成されている。
【００２７】
棒状体３１は、基台３０の載置片３３の略中央部に固定された高ナット３５と、ボルト部３６とを備えている。このボルト部３６には、互いに逆向きの螺子が上下に形成されており、これら螺子の境界部分において、スパナ等の工具を係合してボルト部３６を回転操作するための操作部３７が設けられている。そして、このボルト部３６の上端部がパネル受け台３２の螺子孔３８に螺合され、ボルト部３６の下端部が高ナット３５に螺合されている。さらに、ボルト部３６の上端には、六角棒スパナ等を係合する係合孔３９が形成され、この係合孔３９がパネル受け台３２の略中央部において露出している。
【００２８】
そして、上記の第１の立ち上がり部用支持脚３は、その基台３０の裏面に接着剤を塗布して、この基台３０を外周基礎立ち上がり部１１の天端面１１ａと側面１１ｂとの間のコーナー部分に合わせて接着するか、若しくは、図６に示すように基台３０の載置片３３から天端面１１ａへビスやコンクリートピン等の固定具４０、４０を打ち込むことによって、外周基礎立ち上がり部１１に固定される。
【００２９】
このとき、図７に示すように、基台３０の載置片３３が、上方から見てパネル受け台３２よりも側方へ所定の長さ分Ｓだけ張り出しているので、上方からの打ち込み機４１による固定具４０、４０の打ち込みに際して、パネル受け台３２が邪魔になることはない。また、基台３０の載置片３３における短手方向の幅Ｗが、基礎立ち上がり部１１の天端面１１ａの短手方向の幅の半分以下とされているので、外装材１３のフレーム４１に支持脚３が干渉するといった不具合も防止することができる。
【００３０】
第２の立ち上がり部用支持脚４は、図８及び図９に示すように、間仕切り基礎立ち上がり部１２上に固定される例えば金属板からなる基台５０と、この基台５０に立設した棒状体５１と、この棒状体５１によって高さ調整可能に支持された例えば金属板からなるパネル受け台５２とから構成されている。
【００３１】
棒状体５１は、高ナット５３と、この高ナット５３の上端部に螺合された上側ボルト部５４と、高ナット５３の下端部に螺合された下側ボルト部５５とを備え、パネル受け台５２の略中央部に上側ボルト部５４の上端部が空回り可能に取り付けられ、基台５０の略中央部に下側ボルト部５５の下端部が固定されている。
【００３２】
上側ボルト部５４と下側ボルト部５５には、互いに逆向きの螺子が形成されている。また、これら上側ボルト部５４及び下側ボルト部５５には、高ナット５３との螺合部分におけるぐらつきや音なりを防止するナット５６、５６が螺合されている。さらに、上側ボルト部５４の上端には、六角棒スパナ等を係合する係合孔５７が形成され、この係合孔５７がパネル受け台５２の中央部において露出している。
【００３３】
上記の第２の立ち上がり部用支持脚４は、外周基礎立ち上がり部１１よりも高さの低い間仕切り基礎立ち上がり部１２に固定されるので、その分だけ第１の立ち上がり部用支持脚３よりも全高が高くなっている。従って、この第２の立ち上がり部用支持脚４においては、基台５０とパネル受け台５２との間隔が長く、パネル受け台５２よりも基台５０を張り出さなくても、図９に示すように基台５０から天端面１２ａへビスやコンクリートピン等の固定具５８、５８を打ち込むことができ、これによって間仕切り基礎立ち上がり部１２に固定される。
【００３４】
なお、各支持脚２〜４としては、上記構造のものに限定されるものではなく、少なくとも基台に立設した棒状体によってパネル受け台を高さ調整可能に支持する構造のものであれば良い。また、第２の立ち上がり部用支持脚４においても、第１の立ち上がり部用支持脚３と同様に、載置片と当接片を備えた基台５０としても良い。
【００３５】
床パネル５Ａ〜５Ｅは、図１０乃至図１９に示すように、床下地板６０と、その床下地板６０の裏面の略全面を覆う断熱材６１Ａ〜６１Ｅと、床下地板６０と断熱材６１Ａ〜６１Ｅとの間から側方へ張り出して、隣接する床パネル５Ａ〜５Ｅに連結固定する連結板材６２・・とを一体に組み付けてなるもので、断熱材６１Ａ〜６１Ｅの形状が異なる例えば５つのタイプが用意されている。
【００３６】
第１のタイプの床パネル５Ａは、図２に示すように、床外周部を除く一般部に対応して施工されるものである。この床パネル５Ａの床下地板６０は、図１０及び図１１に示すように、例えば略長方形状の構造用合板からなり、長手方向の長さが約１０００ｍｍ、短手方向の長さが約５００ｍｍに設定されている。
【００３７】
この床下地板６０においては、その四隅付近と長辺側端部の中央付近が、一般部用支持脚２・・によって支持されるようになっている。そして、一般部用支持脚２・・のパネル受け台２２の中央部を露出させるように、床下地板６０における角部が斜めに切り落としされ、長辺側端部の中央部分が略Ｖ字状に切り欠かれている。
【００３８】
この床下材材６０の一方の短辺側端部の裏面には、切り落とし部６３、６３を回避するようにして、例えば略長方形状の構造用合板からなる連結板材６２がビス６４・・によって固定され、一方の長辺側端部の裏面には、切り落とし部６３、６３及びＶ字状切欠部６５を回避するようにして、一対の例えば略長方形状の構造用合板からなる連結板材６２、６２がビス６４・・によって固定されている。これら連結板材６２・・は、図１１に示すように、その略半分が床下地板６０から側方へ張り出した状態となっている。
【００３９】
断熱材６１Ａは、例えば略直方体状の発泡ポリスチレンからなる。そして、断熱材６１Ａにおける周端部のうち、四隅付近の上面側及び両方の長辺側端部の中央付近の上面側が一定の幅で浅く切り欠かれて、残りの部分の上面側が同じく一定の幅で深く切り欠かれている。
【００４０】
四隅付近の浅く切り欠いた部分は、一般部用支持脚２のパネル受け台２２の約４分の１を差し込むための差し込み用凹所６６とされ、両方の長辺側端部の中央付近の浅く切り欠いた部分は、一般部用支持脚２のパネル受け台２２の約半分を差し込むための差し込み用凹所６７とされている。そして、これら差し込み用凹所６６、６７・・に連続するようにして、断熱材６１Ａの端面に、一般部用支持脚２の棒状材２１の上側ボルト部２４を挿通させる挿通用切欠６８・・が上側ボルト部２４の形状に応じて形成されている。
【００４１】
また、断熱材６１Ａの一方の長辺側端部及び一方の短辺側端部における深く切り欠いた部分は、床下地板６０に固定した連結板材６２・・の約半分が収容される収容用凹所７０とされ、他方の長辺側端部及び他方の短辺側端部における深く切り欠いた部分は、隣接する床パネル５Ａ〜５Ｅの連結板材６２・・を嵌め込む嵌合用凹所７１とされている。なお、連結板材６２・・を収容若しくは嵌合する収容用凹所７０や嵌合用凹所７１と、パネル受け台２２・・を差し込む差し込み用凹所６６、６７の深さを異ならせているのは、連結板材６２の肉厚がパネル受け台２２の肉厚よりも厚く、その分だけ収容用凹所７０や嵌合用凹所７１を深くして、これら連結板材６２・・の上面とパネル受け台２２の上面とを同一平面上に揃えるようにしているからである。
【００４２】
第２のタイプの床パネル５Ｂは、図２に示すように、床外周部のコーナー部分に対応して施工されるものである。この床パネル５Ｂの床下地板６０は、図１２及び図１３に示すように、第１のタイプのものと同じものが用いられていて、同様に連結板材６２・・がビス６４・・止めされている。
【００４３】
断熱材６１Ｂは、例えば略直方体状の発泡ポリスチレンからなる。そして、断熱材６１Ｂにおける周端部のうち、一方の長辺側端部の中央付近の上面側及び一方の長辺側端部と一方の短辺側端部との間の隅部付近の上面側に、上記と同様の差し込み用凹所６６、６７が形成され、これらに連続するようにして挿通用切欠６８、６８が形成されている。また、一方の長辺側端部の上面側及び一方の短辺側端部の上面側には、上記と同様の収容用凹所７０・・が形成されている。
【００４４】
さらに、断熱材６１Ｂにおける一方の長辺側端部と他方の短辺側端部との間の隅部の上面側、及び、他方の長辺側端部と一方の短辺側端部との間の隅部の上面側は、一定の幅で浅く切り欠かれて、第１の立ち上がり部用支持脚３のパネル受け台３２の約半分を差し込むための差し込み用凹所７２、７２が形成されている。
【００４５】
さらにまた、断熱材６１Ｂにおける他方の長辺側端部の上面側には、差し込み用凹所７２の約２倍の幅で浅く切り欠くことによって、第１の立ち上がり部用支持脚３のパネル受け台３２の全体を差し込むための差し込み用凹所７３、７３が形成されている。この差し込み用凹所７３は、２つの差し込み用凹所７２、７２を合わせた形状となっている。
【００４６】
そして、差し込み用凹所７２、７３に連続するようにして、断熱材６１Ｂの端面に、第１の立ち上がり部用支持脚３の棒状材３１を挿通させる挿通用切欠７４、７５が段差状に形成されている。差し込み用凹所７３側の挿通用切欠７５は、２つの差し込み用凹所７２、７２の挿通用切欠７４、７４を合わせた形状となっている。
【００４７】
また、断熱材６１Ｂの他方の長辺側端部の下面側及び他方の短辺側端部の下面側には、外周基礎立ち上がり部１１を回避するための回避用切欠７６が夫々形成されている。
【００４８】
第３のタイプの床パネル５Ｃは、図２に示すように、第２のタイプの床パネル５Ｂが施工される床外周部のコーナー部分と相対するコーナー部分に対応して施工されるものである。この床パネル５Ｃの床下地板６０は、図１４及び図１５に示すように、第１のタイプのものと同じものが用いられていて、同様に連結板材６２・・がビス６４・・止めされている。
【００４９】
断熱材６１Ｃは、例えば略直方体状の発泡ポリスチレンからなる。そして、断熱材６１Ｃにおける周端部のうち、一方の長辺側端部の中央付近の上面側及び一方の長辺側端部と他方の短辺側端部との間の隅部付近の上面側に、上記と同様の差し込み用凹所６６、６７が形成され、これらに連続するようにして挿通用切欠６８、６８が形成されている。また、一方の長辺側端部の上面側には、上記と同様の収容用凹所７０・・が形成され、他方の短辺側端部の上面側には、嵌合用凹所７１が形成されている。
【００５０】
さらに、断熱材６１Ｃにおける一方の長辺側端部と一方の短辺側端部との間の隅部の上面側、及び、他方の長辺側端部と他方の短辺側端部との間の隅部の上面側には、上記と同様の差し込み用凹所７２、７２が形成されている。さらにまた、断熱材６１Ｃにおける他方の長辺側端部の上面側には、一対の差し込み用凹所７３、７３が形成されている。そして、差し込み用凹所７２、７３に連続するようにして、断熱材６１Ｃの端面に、上記と同様の挿通用切欠７４、７５が段差状に形成されている。
【００５１】
また、断熱材６１Ｃの他方の長辺側端部の下面側及び一方の短辺側端部の下面側には、外周基礎立ち上がり部１１を回避するための回避用切欠７６が夫々形成されている。
【００５２】
第４のタイプの床パネル５Ｄは、図２に示すように、その長辺側端部が床外周部に沿うようにして施工されるものである。この床パネル５Ｄの床下地板６０は、図１６及び図１７に示すように、第１のタイプのものと同じものが用いられていて、同様に連結板材６２・・がビス６４・・止めされている。
【００５３】
断熱材６１Ｄは、例えば略直方体状の発泡ポリスチレンからなる。そして、断熱材６１Ｄにおける周端部のうち、一方の長辺側端部の中央付近の上面側及び一方の長辺側端部と両方の短辺側端部との間の隅部付近の上面側に、上記と同様の差し込み用凹所６６、６７が形成され、これらに連続するようにして挿通用切欠６８・・が形成されている。また、一方の長辺側端部の上面側及び一方の短辺側端部の上面側には、上記と同様の収容用凹所７０・・が形成され、他方の短辺側端部の上面側には、嵌合用凹所７１が形成されている。
【００５４】
さらに、断熱材６１Ｄにおける他方の長辺側端部と両方の短辺側端部との間の隅部の上面側には、上記と同様の差し込み用凹所７２、７２が形成されている。さらにまた、断熱材６１Ｄにおける他方の長辺側端部の中央付近の上面側には、差し込み用凹所７３が形成されている。そして、差し込み用凹所７２、７３に連続するようにして、断熱材６１Ｄの端面に、上記と同様の挿通用切欠７４、７５が段差状に形成されている。
【００５５】
また、断熱材６１Ｄの他方の長辺側端部の下面側には、外周基礎立ち上がり部１１を回避するための回避用切欠７６が夫々形成されている。
【００５６】
第５のタイプの床パネル５Ｅは、図２に示すように、その短辺側端部が床外周部に沿うようにして施工されるものである。この床パネル５Ｅの床下地板６０は、図１８及び図１９に示すように、第１のタイプのものと同じものが用いられていて、同様に連結板材６２・・がビス６４・・止めされている。
【００５７】
断熱材６１Ｅは、例えば略直方体状の発泡ポリスチレンからなる。そして、断熱材６１Ｅにおける周端部のうち、両方の長辺側端部の中央付近の上面側及び両方の長辺側端部と一方の短辺側端部との間の隅部付近の上面側に、上記と同様の差し込み用凹所６６、６７が形成され、これらに連続するようにして挿通用切欠６８、６８が形成されている。また、一方の長辺側端部の上面側及び一方の短辺側端部の上面側には、上記と同様の収容用凹所７０・・が形成され、他方の長辺側端部の上面側には、嵌合用凹所７１、７１が形成されている。
【００５８】
さらに、断熱材６１Ｅにおける両方の長辺側端部と他方の短辺側端部との間の隅部の上面側には、上記と同様の差し込み用凹所７２、７２が形成されている。そして、差し込み用凹所７２、７２に連続するようにして、断熱材６１Ｅの端面に、上記と同様の挿通用切欠７４、７４が段差状に形成されている。
【００５９】
また、断熱材６１Ｅの他方の短辺側端部の下面側には、外周基礎立ち上がり部１１を回避するための回避用切欠７６が夫々形成されている。
【００６０】
なお、床パネル５Ａ〜５Ｅとしては、上記構造のものだけに限定させるものではなく、例えば一辺が約５００ｍｍの略正方形状のものを別途用意しておいても良い。また、床下地板６０、断熱材６１Ａ〜６１Ｅ、連結板材６２・・だけでなく、一般部用支持脚２を予め一体に組み付けて床パネルを構成しても良い。
【００６１】
次に、二重床の施工方法について説明する。まず、図２０に示すように、外周基礎立ち上がり部１１に対して、複数の第１の立ち上がり部用支持脚３・・を所定の間隔をあけてビス止め４０・・固定する。このとき、基台３０の載置片３３を基礎立ち上がり部１１の天端面１１ａに載置するとともに、当接片３４を基礎立ち上がり部１１の側面１１ｂに当接させることで、第１の立ち上がり部用支持脚３を外周基礎立ち上がり部１１に対して簡単にしかも精度良く位置決めした状態で固定することができる。
【００６２】
続いて、図２１に示すように、第２のタイプの床パネル５Ｂを床外周部すなわ外周基礎立ち上がり部１１のコーナー部分に取り付ける。この場合、第２のタイプの床パネル５Ｂを水平移動させながら、その差し込み用凹所７２、７３・・へ第１の立ち上がり部用支持脚３・・のパネル受け台３２・・を差し込むとともに、この第２のタイプの床パネル５Ｂの差し込み用凹所６６、６７へ一般部用支持脚２、２のパネル受け台２２、２２を差し込んで、一般部用支持脚２、２を位置決めする。このとき、パネル受け台２２、３２の上面と連結板材６２・・の上面は、同一平面上に配置されている。
【００６３】
この状態で、一般部用支持脚２、２の基台２０、２０を土間コンクリート１０にビス止めするとともに、第１の立ち上がり部用支持脚３・・のパネル受け台３２・・及び一般部用支持脚２、２のパネル受け台２２、２２に床パネル５Ｂの床下地板６０をビス８０・・止めする。
【００６４】
次に、図２２に示すように、第４のタイプの床パネル５Ｄを、その他方の長辺側端部が外周基礎立ち上がり部１１に沿うようにして水平移動させながら、その差し込み用凹所７２、７２、７３へ第１の立ち上がり部用支持脚３・・のパネル受け台３２・・を差し込むとともに、差し込み用凹所６６へ既に設置してある一般部用支持脚２のパネル受け台２２を差し込み、さらに嵌合用空間７１へ既に設置してある第２のタイプの床パネル５Ｂの連結板材６２の張り出し部を嵌め込む。そして、この第４のタイプの床パネル５Ｄの差し込み用凹所６６、６７へ一般部用支持脚２、２のパネル受け台２２、２２を差し込んで、一般部用支持脚２、２を位置決めし、その基台２０、２０を土間コンクリート１０、１０にビス止めする。その後、第１の立ち上がり部用支持脚３・・のパネル受け台３２・・及び一般部用支持脚２・・のパネル受け台２２・・に床パネル５Ｄの床下地板６０をビス８０・・止めするとともに、第２のタイプの床パネル５Ｂの連結板材６２を、第４のタイプの床パネル５Ｄの床下地板６０にビス８１・・止めする。
【００６５】
このようにして、外周基礎立ち上がり部１１に沿って第４のタイプの床パネル５Ｄ・・を順次設置して、外周基礎立ち上がり部１１のコーナー部分には、第３のタイプの床パネル５Ｃを設置して、外周基礎立ち上がり部１１に沿って床パネル５Ｂ、５Ｄ、５Ｃを一列(図２に細点で示す部分)に並設する。そして、その一列分の床パネル５Ｂ、５Ｄ、５Ｃのレベル出しを行う。
【００６６】
このレベル出しは、各床パネル５Ｂ、５Ｄ、５Ｃにおける床下地板６０・・の切り落とし部６３、６３やＶ字状切欠部６５を介して露出した支持脚３の係合孔３９へ六角棒スパナ等を係合して、ボルト部３６を回転操作するとともに、各床パネル５Ｂ、５Ｄ、５Ｃにおける床下地板６０・・の切り落とし部６３、６３やＶ字状切欠部６５を介して露出した支持脚２の係合孔２７へ六角棒スパナ等を係合して、上側ボルト部２４を回転操作することで、支持脚２、３・・のパネル受け台２２、３２・・を昇降させて高さ調整し、各床パネル５Ｂ、５Ｄ、５Ｃの床下地板６０・・を同一平面上に水平状態に維持することによってなされる。すなわち、この支持脚２、３・・の高さ調整によるレベル出し作業は、床パネル５Ｂ、５Ｄ、５Ｃの表面側からの操作によって簡単に行うことができ、しかも外周基礎立ち上がり部１１上にスペーサを設けて高さ調整を行う場合と比べて、より高精度な調整を行うことができる。
【００６７】
このレベル出しを終えると、２列目の床パネル５Ａ、５Ｅ・・を施工する。まず、図２３に示すように、第５のタイプの床パネル５Ｅを水平移動させながら、その差し込み用凹所７４、７４へ第１の立ち上がり部用支持脚３・・のパネル受け台３２・・を差し込むとともに、差し込み用凹所６６、６７へ既に設置してある一般部用支持脚２、２のパネル受け台２２、２２を差し込み、さらに嵌合用凹所７１、７１へ既に設置してある第２のタイプの床パネル５Ｂの連結板材６２、６２の張り出し部を嵌め込む。そして、この第５のタイプの床パネル５Ｅの差し込み用凹所６６、６７へ一般部用支持脚２、２のパネル受け台２２、２２を差し込んで、一般部用支持脚２、２を位置決めし、その基台２０、２０を土間コンクリート１０にビス止めする。その後、第１の立ち上がり部用支持脚３・・のパネル受け台３２・・及び一般部用支持脚２、２のパネル受け台２２・・に床パネル５Ｅの床下地板６０をビス８０・・止めするとともに、第２のタイプの床パネル５Ｂの連結板材６２、６２を、第５のタイプの床パネル５Ｅの床下地板６０にビス８１・・止めする。
【００６８】
続いて、第１のタイプの床パネル５Ａを水平移動させながら、その差し込み用凹所６６、６７へ既に設置してある一般部用支持脚２・・のパネル受け台２２・・を差し込み、さらに嵌合用凹所７１・・へ既に設置してある床パネル５Ｂ、５Ｅの連結板材６２・・の張り出し部を嵌め込む。そして、図２４に示すように、この第１のタイプの床パネル５Ａの差し込み用凹所６６、６７へ一般部用支持脚２、２のパネル受け台２２、２２を差し込んで、一般部用支持脚２、２を位置決めし、その基台２０、２０を土間コンクリート１０にビス止めする。その後、一般部用支持脚２・・のパネル受け台２２・・に床パネル５Ａの床下地板６０をビス８０・・止めするとともに、床パネル５Ｂ、５Ｅの連結板材６２・・を、床パネル５Ａの床下地板６０にビス８１・・止めする。
【００６９】
このようにして２列目の床パネル５Ａ、５Ｅ・・の施工を終えると、上記のようにレベル出し作業を行い、続いて３列目以降を順次行って、隣接する床パネル５Ａ〜５Ｅ同士を連結板材６２・・を介して連結させながら二重床を完成させる。なお、間仕切り基礎立ち上がり部１２に沿って床パネル５Ａ、５Ｅ・・を設置する場合にも、一般部用支持脚２・・の代わりに、第２の立ち上がり部用支持脚４・・を用いるだけで、その他の施工方法は２列目と同様である。
【００７０】
このうようにして施工された二重床においては、図１に示すように、隣接する床パネル５Ａ〜５Ｅの断熱材６１Ａ〜６１Ｅの端面同士が、一般部用支持脚２や第２の立ち上がり部用支持脚４の棒状体２１、５１を挿通する挿通用切欠６８・・を除いて互いに隙間なく突き合わされた状態となる。すなわち、一般部用支持脚２や第２の立ち上がり部用支持脚４におけるパネル受け台２２、５２及び棒状体２１、５１が、隣接する床パネル５Ａ〜５Ｅの差し込み用凹所６６、６７や挿通用切欠６８・・が合わさって構成される収容部９０にきっちりと収容されて、断熱材６１Ａ〜６１Ｅの端面間に無駄な隙間が生じない状態となっている。
【００７１】
また、外周基礎立ち上がり部１１に沿って配置される床パネル５Ｂ〜５Ｅの断熱材６１Ｂ〜６１Ｅが、第１の立ち上がり部用支持脚３の棒状体３１を挿通する挿通用切欠７４、７５を除いて、パネル受け台３２の下側にも回り込んだ状態となっている。
【００７２】
さらに、図２５に示すように、連結板材６２による床パネル５Ａ〜５Ｅ同士の連結部分においては、連結板材６２が一方の床パネル５Ａ〜５Ｅの収容用凹所７０と他方の床パネル５Ａ〜５Ｅの嵌合用凹所７１とに跨って配され、この連結板材６２の下側には、隣接する床パネル５Ａ〜５Ｅの断熱材６１Ａ〜６１Ｅが回り込んで互いに隙間なく突き合わされた状態となっている。
【００７３】
これにより、床下空間と室内空間が、床パネル５Ａ〜５Ｅの断熱材６１Ａ〜６１Ｅによって確実に遮断されて、断熱性を良好に維持することができる。
【００７４】
この発明は、上記実施形態に限定されるものではなく、この発明の範囲内で上記実施形態に多くの修正及び変更を加え得ることは勿論である。
【図面の簡単な説明】
【００７５】
【図１】この発明の一実施形態に係る二重床構造の縦断面図である。
【図２】二重床構造の平面図である。
【図３】一般部用支持脚の分解斜視図である。
【図４】一般部用支持脚の斜視図である。
【図５】第１の立ち上がり部用支持脚の分解斜視図である。
【図６】第１の立ち上がり部用支持脚の斜視図である。
【図７】第１の立ち上がり部用支持脚の正面図である。
【図８】第２の立ち上がり部用支持脚の分解斜視図である。
【図９】第２の立ち上がり部用支持脚の斜視図である。
【図１０】第１のタイプの床パネルの分解斜視図である。
【図１１】第１のタイプの床パネルの斜視図である。
【図１２】第２のタイプの床パネルの分解斜視図である。
【図１３】第２のタイプの床パネルの斜視図である。
【図１４】第３のタイプの床パネルの分解斜視図である。
【図１５】第３のタイプの床パネルの斜視図である。
【図１６】第４のタイプの床パネルの分解斜視図である。
【図１７】第４のタイプの床パネルの斜視図である。
【図１８】第５のタイプの床パネルの分解斜視図である。
【図１９】第５のタイプの床パネルの斜視図である。
【図２０】第１の立ち上がり部用支持脚の設置状態を示す斜視図である。
【図２１】１列目の床パネルの施工状態を示す斜視図である。
【図２２】１列目の床パネルの施工状態を示す斜視図である。
【図２３】２列目の床パネルの施工状態を示す斜視図である。
【図２４】２列目の床パネルの施工状態を示す斜視図である。
【図２５】床パネル同士の連結部分を示す縦断面図である。
【符号の説明】
【００７６】
２〜４・・支持脚、５Ａ〜５Ｅ・・床パネル、２１、３１、５１・・棒状材、２２、３２、５２・・パネル受け台、６０・・床下地板、６１Ａ〜６１Ｅ・・断熱材、６２・・連結板材、６４、８１・・固定具、６６、６７、７２、７３・・差し込み用凹所、６８、７４、７５・・挿通用切欠、７０・・収容用凹所、７１・・嵌合用凹所、９０・・収容部
【図１】
2007009541.tif 000003
【図２】
2007009541.tif 000004
【図３】
2007009541.tif 000005
【図４】
2007009541.tif 000006
【図５】
2007009541.tif 000007
【図６】
2007009541.tif 000008
【図７】
2007009541.tif 000009
【図８】
2007009541.tif 000010
【図９】
2007009541.tif 000011
【図１０】
2007009541.tif 000012
【図１１】
2007009541.tif 000013
【図１２】
2007009541.tif 000014
【図１３】
2007009541.tif 000015
【図１４】
2007009541.tif 000016
【図１５】
2007009541.tif 000017
【図１６】
2007009541.tif 000018
【図１７】
2007009541.tif 000019
【図１８】
2007009541.tif 000020
【図１９】
2007009541.tif 000021
【図２０】
2007009541.tif 000022
【図２１】
2007009541.tif 000023
【図２２】
2007009541.tif 000024
【図２３】
2007009541.tif 000025
【図２４】
2007009541.tif 000026
【図２５】
2007009541.tif 000027